(57)【要約】【課題】位相制御調光器が誤動作した場合であっても、電源回路が正常な電力を負荷に供給する。【解決手段】電源回路８２１は、位相制御された交流電力を入力し、直流電力を生成する。整流回路１１０は、位相制御された交流電力を整流する。直流直流変換回路１２０は、整流回路が整流した電力から、直流電力を生成する。遅延回路１４０は、電源回路８２１が位相制御された交流電力の入力を開始してから所定の遅延時間が経過したのちに、直流直流変換回路１２０の動作を開始させる。【選択図】図６
2011258431.tif 000002
【特許請求の範囲】
【請求項１】
位相制御された交流電力を入力し、直流電力を生成する電源回路において、
上記位相制御された交流電力を整流する整流回路と、
上記整流回路が整流した電力から、上記直流電力を生成する直流直流変換回路と、
上記電源回路が上記位相制御された交流電力の入力を開始してから所定の遅延時間が経過したのちに、上記直流直流変換回路の動作を開始させる遅延回路とを有することを特徴とする電源回路。
【請求項２】
上記遅延回路の遅延時間は、上記交流電力の周期の０．５倍以上３倍以下であることを特徴とする請求項１に記載の電源回路。
【請求項３】
上記遅延回路は、上記電源回路が上記位相制御された交流電力の入力を開始してから所定の遅延時間が経過するまでの間、保護信号を生成し、
上記直流直流変換回路は、上記遅延回路が生成した保護信号を入力する保護信号入力端子を有し、上記保護信号入力端子が上記保護信号を入力している場合に動作を停止することを特徴とする請求項１または請求項２に記載の電源回路。
【請求項４】
上記電源回路は、上記位相制御された交流電力から、直流制御電力を生成する制御電源回路を有し、
上記直流直流変換回路は、上記制御電源回路が生成した直流制御電力を電源として動作し、
上記遅延回路は、上記制御電源回路が生成した直流制御電力の電圧を分圧する分圧コンデンサと分圧抵抗とを有し、上記分圧抵抗の両端に発生した電圧を上記保護信号とすることを特徴とする請求項３に記載の電源回路。
【請求項５】
請求項１乃至請求項４のいずれかに記載の電源回路と、
上記電源回路が生成した直流電力により点灯する光源とを有することを特徴とする照明装置。
【請求項６】
調光度を入力し、入力した調光度にしたがって交流電力を位相制御する位相制御調光器と、
上記位相制御調光器が位相制御した交流電力を入力する請求項１乃至請求項４のいずれかに記載の電源回路と、
上記電源回路が生成した直流電力により点灯する光源とを有することを特徴とする照明システム。
【発明の詳細な説明】
【技術分野】
【０００１】
この発明は、ＬＥＤなどの負荷に電力を供給する電源回路に関する。
【背景技術】
【０００２】
電球などの負荷に対して供給される電力を制限するため、サイリスタなどを用いて、負荷に供給される交流電力を位相制御する技術がある。
電球を光源とする照明システムには、位相制御調光器を用いて電球の明るさを調光するものがある。光源をＬＥＤとし、ＬＥＤに電力を供給する電源回路が、位相制御された交流電力を入力する構成の照明システムがある。
【先行技術文献】
【特許文献】
【０００３】
【特許文献１】特開２００４−２９６２０５号公報
【発明の概要】
【発明が解決しようとする課題】
【０００４】
位相制御調光器は、稀に誤動作する場合がある。調光度を低くしているにもかかわらず、電源投入直後、位相制御が働かず、大きな電力が負荷に供給される場合がある。これはミリ秒オーダーの出来事なので、電球のように応答の遅い負荷の場合は、問題とならない。これに対し、ＬＥＤのように応答の速い負荷の場合、ＬＥＤが一瞬明るく点灯するフラッシュ現象を起こす場合がある。
この発明は、例えば上記のような課題を解決するためになされたものであり、位相制御調光器が誤動作した場合であっても、電源回路が正常な電力を負荷に供給することを目的とする。
【課題を解決するための手段】
【０００５】
この発明にかかる電源回路は、位相制御された交流電力を入力し、直流電力を生成する電源回路において、上記位相制御された交流電力を整流する整流回路と、上記整流回路が整流した電力から、上記直流電力を生成する直流直流変換回路と、上記電源回路が上記位相制御された交流電力の入力を開始してから所定の遅延時間が経過したのちに、上記直流直流変換回路の動作を開始させる遅延回路とを有することを特徴とする。
【発明の効果】
【０００６】
この発明にかかる電源回路によれば、位相制御調光器が誤動作した場合であっても、正常な電力を負荷に供給することができる。
【図面の簡単な説明】
【０００７】
【図１】実施の形態１における照明システム８００の構成を示すシステム構成図。
【図２】実施の形態１における位相制御調光器８１０および光源回路８２２の構成を示す図。
【図３】実施の形態１における位相制御調光器８１０が位相制御した交流電力の電圧波形７１１の一例を示す波形図。
【図４】実施の形態１における位相制御調光器８１０が位相制御した交流電力の電圧波形７１１の別の例を示す波形図。
【図５】実施の形態１における位相制御調光器８１０が位相制御した交流電力の電圧波形７１１の更に別の例を示す波形図。
【図６】実施の形態１における電源回路８２１の回路構成を示す回路構成図。
【図７】実施の形態１における各部の電圧波形の一例を示す波形図。
【図８】実施の形態１における各部の電圧波形の別の例を示す波形図。
【発明を実施するための形態】
【０００８】
実施の形態１．
実施の形態１について、図１〜図８を用いて説明する。
【０００９】
図１は、この実施の形態における照明システム８００の構成を示すシステム構成図である。
照明システム８００は、位相制御調光器８１０と、照明装置８２０とを備える。照明システム８００は、例えば位相制御調光ＬＥＤシステムである。
【００１０】
位相制御調光器８１０は、調光度を入力し、入力した調光度にしたがって、商用電源などの交流電源ＡＣから供給される交流電力を位相制御する。すなわち、位相制御調光器８１０は、商用電源などの交流電源ＡＣから照明装置８２０に電力を供給する電源線を、電圧の位相にしたがって導通／遮断することにより、照明装置８２０に供給される電力を調整する。
【００１１】
照明装置８２０は、電源回路８２１と、光源回路８２２とを有する。
【００１２】
電源回路８２１は、位相制御調光器８１０が位相制御した交流電力を入力し、直流電力を生成する。電源回路８２１が生成した直流電力は、光源回路８２２に供給される。電源回路８２１は、例えばＬＥＤ点灯装置である。
【００１３】
光源回路８２２は、電源回路８２１に接続されている。光源回路８２２は、光源を有する。光源は、電源回路８２１から供給された直流電力により点灯する。光源回路８２２は、例えばＬＥＤモジュールである。
【００１４】
図２は、この実施の形態における位相制御調光器８１０および光源回路８２２の構成を示す図である。
【００１５】
光源回路８２２は、１以上の光源８２３を有する。光源８２３は、例えば発光ダイオード（ＬＥＤ）である。光源８２３の数は、例えば４つである。光源８２３の数は、いくつでもよい。光源８２３の数が複数の場合、光源８２３は、例えば直列に電気接続されている。複数の光源８２３は、例えば、並列に電気接続されていてもよいし、複数の光源８２３の直列に電気接続した回路が並列に電気接続されたものであってもよい。複数の光源８２３（あるいは光源８２３を直列に接続した回路）が並列に接続されている場合、光源回路８２２は、カレントミラー回路など複数の光源８２３を流れる電流を均等にするための構成を有していてもよい。
【００１６】
位相制御調光器８１０は、例えば、調光信号入力端子８１１と、サイリスタ８１２と、制御回路８１３とを有する。
【００１７】
調光信号入力端子８１１は、調光信号を入力するための端子である。調光信号は、調光度を表わす。なお、位相制御調光器８１０は、調光信号入力端子８１１により調光信号を入力するのではなく、例えば赤外線受光器などにより調光信号を入力する構成であってもよい。また、位相制御調光器８１０は、調光信号により調光度を入力するのではなく、回転ツマミや操作ボタンなどにより利用者の操作を入力することにより、調光度を入力する構成であってもよい。
【００１８】
サイリスタ８１２は、交流電源ＡＣから電源回路８２１へ交流電力を供給する電源線に介在している。サイリスタ８１２は、制御回路８１３が生成した駆動パルスを入力するとオンになり、流れる電流が０になるとオフになるスイッチである。
【００１９】
制御回路８１３は、サイリスタ８１２を駆動する駆動パルスを生成する。制御回路８１３は、交流電源ＡＣから供給される交流電力の電圧のゼロクロスを検出する。制御回路８１３は、ゼロクロスを検出した時刻から、入力した調光度にしたがった遅延時間が経過したとき、駆動パルスを生成する。遅延時間は、調光度が高い（明るい）ほど小さく、調光度が低い（暗い）ほど大きい。
【００２０】
図３は、この実施の形態における位相制御調光器８１０が位相制御した交流電力の電圧波形７１１の一例を示す波形図である。
サイリスタ８１２は、制御回路８１３が駆動パルスを生成してから、交流電源ＡＣから供給される交流電力の電圧が０になるまでの間、オンになる。この期間（導通期間７０２）において、位相制御調光器８１０が位相制御した交流電力の電圧波形７１１は、交流電源ＡＣから供給される交流電力の電圧波形とほぼ等しい。導通期間７０２以外の期間において、位相制御調光器８１０が位相制御した交流電力は遮断され、電圧は０になる。
導通期間７０２は、交流電源ＡＣから供給される交流電力の周期７０１の半分以下である。導通期間７０２を、位相角で表わしたものを導通角という。導通角は、理論的には、０度以上１８０度以下である。実際には、導通角の下限は０度より大きく、導通角の上限は１８０度より小さい。
【００２１】
調光度が高い場合、制御回路８１３は、交流電源ＡＣから供給される交流電力の電圧がゼロクロスしてから短い遅延時間で駆動パルスを生成するので、この図のように、導通期間７０２が長くなり、導通角は大きくなる。これにより、交流電源ＡＣから照明装置８２０へ供給される電力が大きくなり、光源８２３が明るく点灯する。
【００２２】
電流波形は、示していないが、例えば、サイリスタ８１２がオンになった瞬間に流れる微分電流（パルス電流）と、その後、サイリスタ８１２がオンの期間に流れる電流とがある。
【００２３】
図４は、この実施の形態における位相制御調光器８１０が位相制御した交流電力の電圧波形７１１の別の例を示す波形図である。
【００２４】
調光度が低い場合、制御回路８１３は、交流電源ＡＣから供給される交流電力の電圧がゼロクロスしてから長い遅延時間で駆動パルスを生成するので、この図のように、導通期間７０２が短くなり、導通角は小さくなる。これにより、交流電源ＡＣから照明装置８２０へ供給される電力が小さくなり、光源８２３が暗く点灯する。
【００２５】
図５は、この実施の形態における位相制御調光器８１０が位相制御した交流電力の電圧波形７１１の更に別の例を示す波形図である。
位相制御調光器８１０は、電源投入直後に、誤動作する場合がある。
【００２６】
例えば、時刻７２１に電源が投入されたとすると、その直後の半周期（半サイクル）の間、サイリスタ８１２がオン状態を維持する場合がある。この期間を誤導通期間７０３と呼ぶ。本来であれば、導通期間７０２のみサイリスタ８１２がオンになるので、交流電源ＡＣから照明装置８２０へ供給される電力は小さくなるはずだが、誤導通期間７０３においては、半周期の間サイリスタ８１２がオン状態を維持するので、交流電源ＡＣから照明装置８２０へ大きな電力が供給される。
【００２７】
誤動作の原因は、電流の遅れによるものと考えられるが、ここでは詳しく述べない。この実施の形態の照明システム８００は、位相制御調光器８１０の誤動作を防止するものではなく、位相制御調光器８１０が仮に誤動作しても照明システム８００が全体として正常に動作するものである。
【００２８】
図６は、この実施の形態における電源回路８２１の回路構成を示す回路構成図である。
電源回路８２１は、整流回路１１０と、直流直流変換回路１２０と、制御電源回路１３０と、遅延回路１４０とを有する。
【００２９】
整流回路１１０は、電源回路８２１が位相制御調光器８１０から入力した位相制御された交流電力を整流して、電圧波形を（位相制御された）脈流にする。整流回路１１０は、例えば、ダイオードブリッジ１１１を有する。ダイオードブリッジ１１１は、４個のダイオードがブリッジ接続されたものであり、全波整流を行う。
【００３０】
直流直流変換回路１２０は、整流回路１１０が整流した電力を入力し、入力した電力を変換して、直流電力を生成する。直流直流変換回路１２０が生成した直流電力は、電源回路８２１の出力として、光源回路８２２に供給される。直流直流変換回路１２０は、ＤＣ−ＤＣコンバータ回路である。
直流直流変換回路１２０は、例えば、フライバックコンバータ回路である。直流直流変換回路１２０は、例えば、制御ＩＣ１２１と、スイッチング素子Ｑ２２と、トランスＴ２３と、ダイオードＤ２６と、平滑コンデンサＣ２７とを有する。
【００３１】
制御ＩＣ１２１は、制御電源回路１３０から供給される直流制御電力を電源として動作する。制御ＩＣ１２１は、スイッチング素子Ｑ２２を高周波でオンオフさせる。制御ＩＣ１２１は、グランド端子ＧＮＤと、電源端子ＶＣＣと、出力端子ＯＵＴと、保護信号入力端子ＯＶＰとを有する。
グランド端子ＧＮＤは、電源回路８２１の一次側基準電位を持つグランド配線に電気接続されている。電源端子ＶＣＣは、制御電源回路１３０の出力に電気接続されている。制御ＩＣ１２１は、電源端子ＶＣＣを介して、制御電源回路１３０が生成した直流制御電力を入力する。出力端子ＯＵＴは、スイッチング素子Ｑ２２を駆動する駆動信号を出力する。保護信号入力端子ＯＶＰは、保護信号を入力する。保護信号入力端子ＯＶＰは、例えば、過電圧保護端子である。制御ＩＣ１２１は、保護信号を入力している間、動作を停止する。すなわち、制御ＩＣ１２１は、スイッチング素子Ｑ２２を高周波でオンオフする駆動信号を生成せず、スイッチング素子Ｑ２２を継続してオフ状態に保つ。なお、この例において、制御ＩＣ１２１は、保護信号入力端子ＯＶＰの電位が高電位である場合に、保護信号を入力していると判断する。
【００３２】
スイッチング素子Ｑ２２は、制御ＩＣ１２１が生成した駆動信号により、オンオフするスイッチである。スイッチング素子Ｑ２２は、例えば、エンハンスメント型ＮＭＯＳ電界効果トランジスタ（ＦＥＴ）である。
【００３３】
トランスＴ２３は、磁気的に結合した２つのコイルＬ２４，Ｌ２５を有する。一次側コイルＬ２４は、スイッチング素子Ｑ２２と直列に電気接続し、整流回路１１０の出力に電気接続している。スイッチング素子Ｑ２２がオンのとき、一次側コイルＬ２４の両端には、整流回路１１０が整流した電力の脈流電圧が印加され、一次側コイルＬ２４に電流が流れる。スイッチング素子Ｑ２２がオフになると、一次側コイルＬ２４を流れる電流は、０になる。二次側コイルＬ２５の両端には、一次側コイルＬ２４の両端電圧に比例する電圧が発生する。
【００３４】
トランスＴ２３の二次側コイルＬ２５と、ダイオードＤ２６と、平滑コンデンサＣ２７とは、互いに電気接続して、閉回路を形成している。ダイオードＤ２６は、整流回路である。ダイオードＤ２６の向きは、平滑コンデンサＣ２７を充電する方向にのみ電流が流れる向きである。二次側コイルＬ２５の向きは、スイッチング素子Ｑ２２がオンのときダイオードＤ２６がオフになる電圧が発生する向きである。スイッチング素子Ｑ２２がオンのとき、二次側コイルＬ２５の両端に発生した電圧により、ダイオードＤ２６がオフになるので、コイルＬ２５には電流が流れない。スイッチング素子Ｑ２２がオフになると、それまで一次側コイルＬ２４に流れていた電流に比例する電流が、コイルＬ２５を流れる。ダイオードＤ２６がオンになり、二次側コイルＬ２５を流れる電流により、平滑コンデンサＣ２７が充電される。平滑コンデンサＣ２７は、二次側コイルＬ２５を流れる電流を平滑する。平滑コンデンサＣ２７の両端は、直流直流変換回路１２０（および電源回路８２１）の出力として、光源回路８２２に電気接続される。
【００３５】
平滑コンデンサＣ２７は、サイリスタ８１２がオンの導通期間７０２のみ充電される。このため、導通期間７０２が長ければ、電源回路８２１から光源回路８２２へ供給される直流電力が大きくなり、光源８２３が明るく点灯する。逆に、導通期間７０２が短ければ、電源回路８２１から光源回路８２２へ供給される直流電力が小さくなり、光源８２３が暗く点灯する。このようにして、位相制御調光器８１０が導通角を変えることにより光源８２３の明るさが変化する位相制御調光が実現される。
【００３６】
また、制御ＩＣ１２１がスイッチング素子Ｑ２２を高周波でオンオフする駆動信号を生成せず、スイッチング素子Ｑ２２が継続してオフである場合、一時側コイルＬ２４を電流が流れないので、二次側コイルＬ２５にも電流が流れず、平滑コンデンサＣ２７は充電されない。このため、光源８２３は、点灯しない。
【００３７】
制御電源回路１３０は、整流回路１１０が整流した電力を入力し、入力した電力を変換して、直流制御電力（制御用電源）を生成する。制御電源回路１３０が生成した直流制御電力は、直流直流変換回路１２０に供給される。制御電源回路１３０は、制御用直流電源発生回路である。制御電源回路１３０は、例えば、三端子レギュレータ１３１を有する。
【００３８】
遅延回路１４０は、直流直流変換回路１２０の動作開始を遅らせる。遅延回路１４０は、電源回路８２１が位相制御された交流電力の入力を開始してから、所定の遅延時間が経過したのちに、直流直流変換回路１２０の動作を開始させる。
遅延時間は、例えば、交流電源ＡＣの周期の０．５倍以上３倍以下である。上述したように、位相制御調光器８１０の誤導通期間７０３は、交流電源ＡＣの半周期に相当する。このため、遅延時間は、交流電源ＡＣの半周期以上必要である。例えば、交流電源ＡＣの周波数が５０Ｈｚであれば遅延時間は１０ミリ秒以上、６０Ｈｚであれば８．３３ミリ秒以上に設定する。電源回路８２１を２つ以上の周波数に対応させるためには、周波数が最も低い場合の遅延時間に、遅延時間を設定する。例えば、５０Ｈｚと６０Ｈｚとに対応させるためには、遅延時間を１０ミリ秒以上に設定する。
逆に、遅延時間をあまり長く設定する必要はない。遅延時間をあまり長く設定すると、利用者に反応遅れとして認識されたり、位相制御調光器８１０が誤動作を繰り返したりする可能性がある。このため、遅延時間は交流電源ＡＣの１周期以下であることが望ましい。遅延回路１４０の構成によっては、電源切断後すぐに再び電源が投入されると、遅延時間が設定値よりも短くなる可能性があるので、余裕を見たとしても、３倍程度で十分である。その場合、遅延時間は交流電源ＡＣの３周期以下に設定することが望ましい。例えば、交流電源ＡＣの周波数が６０Ｈｚの場合、遅延時間は５０ミリ秒以下に設定する。
【００３９】
遅延回路１４０は、例えば、微分回路である。遅延回路１４０は、例えば、２つの分圧抵抗Ｒ４１，Ｒ４２と、分圧コンデンサＣ４３と、ダイオードＤ４４とを有する。２つの分圧抵抗Ｒ４１，Ｒ４２は、互いに直列に電気接続され、制御電源回路１３０の出力に電気接続されている。２つの分圧抵抗Ｒ４１，Ｒ４２の接続点は、制御ＩＣ１２１の保護信号入力端子ＯＶＰに電気接続されている。分圧コンデンサＣ４３は、分圧抵抗Ｒ４１に並列に電気接続されている。ダイオードＤ４４は、整流回路である。ダイオードＤ４４は、分圧抵抗Ｒ４２に並列に電気接続されている。ダイオードＤ４４の向きは、制御電源回路１３０が生成する直流制御電力の電圧が正のときオフになる向きである。ダイオードＤ４４は、制御電源回路１３０が生成する直流制御電力の電圧が０になったとき、分圧コンデンサＣ４３に充電された電荷を早く引き抜くためのものである。なお、分圧コンデンサＣ４３の電荷を更に早く引き抜くため、２つの分圧抵抗Ｒ４１，Ｒ４２それぞれに並列に、静電容量の比較的小さいコンデンサを電気接続する構成としてもよい。
２つの分圧抵抗Ｒ４１，Ｒ４２の分圧比は、制御電源回路１３０が保護信号を入力しているか否かを判断する閾値電圧より低い電位まで保護信号入力端子ＯＶＰの電位が下がるよう設定する。分圧抵抗Ｒ４２の抵抗値および分圧コンデンサＣ４３の静電容量は、制御電源回路１３０が保護信号を入力しているか否かを判断する閾値電圧にまで保護信号入力端子ＯＶＰの電位が下がるのにかかる時間が、交流電源ＡＣの周期の０．５倍〜３倍になるよう設定する。
【００４０】
図７は、この実施の形態における各部の電圧波形の一例を示す波形図である。
横軸は、時刻を示す。縦軸は、電圧を示す。
太実線で示す電圧波形７１１は、電源回路８２１が入力する位相制御された交流電力の電圧波形である。この例では、位相制御調光器８１０の誤動作により、半周期の誤導通期間７０３がある。
太実線で示す電圧波形７１４は、制御電源回路１３０が生成する直流制御電力の電圧波形である。制御電源回路１３０は、生成する直流制御電力の電圧が細破線で示す電圧７０４を超えないように調整する。制御ＩＣ１２１は、制御電源回路１３０が生成した直流制御電力の電圧が、細破線で示す電圧７０５を超えた場合に、動作可能になる。
太破線で示す電圧波形７１５は、遅延回路１４０が生成する保護信号の電圧波形である。制御ＩＣ１２１は、遅延回路１４０が生成する保護信号の電位が、細破線で示す電圧７０６を超えた場合に、保護信号を入力したと判定する。電圧７０６は、電圧７０５よりも低い。
細破線で示す電圧７０７は、電圧７０４を、２つの分圧抵抗Ｒ４１，Ｒ４２の分圧比で分圧した電圧である。電圧７０７は、電圧７０６よりも低い。
【００４１】
時刻７２１において、電源が投入される。
時刻７２２において、誤導通期間７０３が始まる。制御電源回路１３０が生成する直流制御電力の電圧値は、徐々に上昇し、時刻７２３において、制御ＩＣ１２１が動作できる電圧７０５を超える。
時刻７２２より前において、分圧コンデンサＣ４３は、充電されていない。このため、遅延回路１４０が生成する保護信号の電位は、制御電源回路１３０が生成する直流制御電力の電圧値と等しい。時刻７２２より後において、分圧コンデンサＣ４３は、徐々に充電されていき、遅延回路１４０が生成する保護信号の電位は、制御電源回路１３０が生成する直流制御電力の電圧値よりも、分圧コンデンサＣ４３の両端電圧の分、低い電位となる。
時刻７２３においては、分圧コンデンサＣ４３がまだそれほど充電されていないので、遅延回路１４０が生成する保護信号の電位は、制御ＩＣ１２１が保護信号を入力したと判定する電圧７０６を超えている。このため、制御ＩＣ１２１は、動作を停止し、スイッチング素子Ｑ２２を継続してオフにする。平滑コンデンサＣ２７が充電されないので、光源８２３は点灯しない。
【００４２】
その後、分圧コンデンサＣ４３が充電されていくにつれて、遅延回路１４０が生成する保護信号の電位が下がっていき、時刻７２４において、制御ＩＣ１２１が保護信号を入力しているか否かを判定する閾値電圧７０６を下回る。制御ＩＣ１２１は、スイッチング素子Ｑ２２を高周波でオンオフする駆動信号を生成する。これにより、直流直流変換回路１２０は、動作を開始する。
光源８２３が点灯する電圧まで平滑コンデンサＣ２７が充電されると、光源８２３は、調光度に見合った明るさで点灯する。
【００４３】
仮に、遅延回路１４０がなかったとすると、制御ＩＣ１２１は、時刻７２３において動作を開始し、スイッチング素子Ｑ２２を高周波でオンオフする駆動信号を生成する。このため、誤導通期間７０３の間は、調光度１００％のときと同程度にまで平滑コンデンサＣ２７が充電され、光源８２３が明るく点灯する。その後、平滑コンデンサＣ２７が放電するにつれて、光源８２３が暗くなっていき、調光度に見合った明るさになる。すなわち、光源８２３がフラッシュのように一瞬だけ明るく点灯する。
【００４４】
これに対し、この実施の形態の電源回路８２１は、遅延回路１４０があるため、少なくとも誤導通期間７０３が終わるまでは、制御電源回路１３０が動作しない。このため、上述のようなフラッシュ現象は、発生しない。
【００４５】
図８は、この実施の形態における各部の電圧波形の別の例を示す波形図である。
横軸は、時刻を示す。縦軸は、電圧を示す。図７と共通する部分には、同一の符号を付す。
【００４６】
この例において、位相制御調光器８１０は誤動作しなかったので、電源回路８２１は、正常に位相制御された交流電力を入力する。
【００４７】
時刻７２２において、サイリスタ８１２がオンになり、制御電源回路１３０が生成する直流制御電力の電圧値が上昇を始める。
時刻７２３において、制御電源回路１３０が生成する直流制御電力の電圧値が電圧７０５を超え、制御ＩＣ１２１が動作可能になる。このとき、遅延回路１４０が生成する保護信号の電位が電圧７０６より高いので、制御ＩＣ１２１は、スイッチング素子Ｑ２２を高周波でオンオフする駆動信号を生成せず、スイッチング素子Ｑ２２はオフ状態を保つ。したがって、平滑コンデンサＣ２７は充電されず、光源８２３は点灯しない。
時刻７２４において、遅延回路１４０が生成する保護信号の電位が電圧７０６を下回り、制御ＩＣ１２１は、スイッチング素子Ｑ２２を高周波でオンオフする駆動信号を生成する。直流直流変換回路１２０が動作を開始する。光源８２３が点灯する電圧まで平滑コンデンサＣ２７が充電されると、光源８２３は、調光度に見合った明るさで点灯する。
【００４８】
このように、位相制御調光器８１０が誤動作しなかった場合も、位相制御調光器８１０が誤動作した場合と同様、制御電源回路１３０は、遅延回路１４０の遅延時間の分、遅れて動作を開始する。
しかし、遅延回路１４０の遅延時間は、交流電源ＡＣの周期の３倍（５０Ｈｚの場合、６０ミリ秒）以下なので、利用者にはほとんど知覚されない。
【００４９】
なお、直流直流変換回路１２０は、フライバックコンバータ回路に限らず、例えば、バックコンバータ回路など、非絶縁型の回路であってもよい。あるいは、直流直流変換回路１２０は、ブーストコンバータ回路など、昇圧型の回路であってもよい。直流直流変換回路１２０は、導通角が小さくなると光源回路８２２に供給する電力が小さくなる特性を有する回路であればよい。
【００５０】
また、直流直流変換回路１２０の動作開始を遅らせるための構成は、制御ＩＣ１２１の保護信号入力端子を利用する構成に限らず、例えば、制御電源回路１３０が生成する直流制御電力の電圧の立ち上がりを遅くして、制御ＩＣ１２１が動作できる電圧７０５に達するのを遅らせる構成であってもよい。あるいは、整流回路１１０の出力と、直流直流変換回路１２０の入力との間にスイッチを設け、遅延時間が経過するまでの間、そのスイッチをオフにしておき、遅延時間が経過した後にオンにする構成であってもよい。
【００５１】
以上説明した構成は、一例であり、主要でない部分の構成を、既存の技術など他の構成に置き換えた構成であってもよい。
【００５２】
以上のように、電源回路８２１が位相制御された交流電力の入力を開始してから所定の遅延時間が経過するまで、直流直流変換回路１２０の動作開始を遅らせ、遅延時間が経過したのちに、直流直流変換回路１２０の動作を開始させることにより、位相制御調光器８１０が誤動作した場合であっても、光源８２３が一瞬だけ明るく点灯するフラッシュ現象の発生を抑えることができ、照明システム８００全体として正常に動作する。
【符号の説明】
【００５３】
１１０  整流回路、１１１  ダイオードブリッジ、１２０  直流直流変換回路、１２１  制御ＩＣ、１３０  制御電源回路、１３１  三端子レギュレータ、１４０  遅延回路、７０１  周期、７０２  導通期間、７０３  誤導通期間、７０４，７０５，７０６，７０７  電圧、７１１，７１４，７１５  電圧波形、７２１，７２２，７２３，７２４  時刻、８００  照明システム、８１０  位相制御調光器、８１１  調光信号入力端子、８１２  サイリスタ、８１３  制御回路、８２０  照明装置、８２１  電源回路、８２２  光源回路、８２３  光源、ＡＣ  交流電源、Ｃ２７  平滑コンデンサ、Ｃ４３  分圧コンデンサ、Ｄ２６，Ｄ４４  ダイオード、ＧＮＤ  グランド端子、Ｌ２４，Ｌ２５  コイル、ＯＵＴ  出力端子、ＯＶＰ  保護信号入力端子、Ｑ２２  スイッチング素子、Ｒ４１，Ｒ４２  分圧抵抗、Ｔ２３  トランス、ＶＣＣ  電源端子。
【図１】
2011258431.tif 000003
【図２】
2011258431.tif 000004
【図３】
2011258431.tif 000005
【図４】
2011258431.tif 000006
【図５】
2011258431.tif 000007
【図６】
2011258431.tif 000008
【図７】
2011258431.tif 000009
【図８】
2011258431.tif 000010